(57)【要約】【課題】より容易に電線付端子の防水・防食性を向上させることができるコネクタを提供する。【解決手段】コネクタ２０は、ハウジング２１０と電線付端子２２０と被押圧体４０とを備えている。電線付端子２２０の端子部２４０は、第１接点部２４１と接続部２４２とを備えている。被押圧体４０は、ムービングプレート４１０と弾性体４２０とを備えている。また、ムービングプレート４１０には挿入孔４１１が形成されており、弾性体４２０には、少なくとも第１接点部２４１が挿入孔４１１に挿入された状態において、挿入孔４１１に連通する貫通孔４２１が形成されている。そして、弾性体４２０は、貫通孔４２１が拡大するように弾性変形し得る構成をしており、被押圧体４２０をハウジング２１０内において初期位置から完了位置までスライドさせた際に、弾性体４２０が電線付端子２２０の接続部２４２を含む領域を覆う。【選択図】図２
2019145246.tif 000002
【特許請求の範囲】
【請求項１】
相手側嵌合体が嵌合可能な空間部が形成されたハウジングと、
電線と前記電線の導体部に接続された端子部とを有し、前記空間部に収容される電線付端子と、
前記空間部内に初期位置と完了位置との間でスライド可能に配置され、前記相手側嵌合体により押圧される被押圧体と、
を備え、
前記端子部は、前記相手側嵌合体の第２接点部に係止される第１接点部と、前記電線の導体部に接続される接続部と、を備えており、
前記被押圧体は、一側が前記相手側嵌合体により押圧されるムービングプレートと、前記ムービングプレートの他側に設けられる弾性体と、を備えており、
前記ムービングプレートには、前記第１接点部の先端が他側から挿入される挿入孔が形成されており、
前記弾性体には、少なくとも前記第１接点部が前記挿入孔に挿入された状態において、前記挿入孔に連通する貫通孔が形成されており、
前記弾性体は、前記貫通孔が拡大するように弾性変形し得る構成をしており、
前記被押圧体を前記初期位置から前記完了位置までスライドさせた際に、前記弾性体が前記電線付端子の前記接続部を含む領域を覆うことを特徴とするコネクタ。
【請求項２】
前記ハウジングには、複数の前記電線付端子が収容されており、
前記ムービングプレートの他側には前記弾性体が少なくとも１つ形成されており、
少なくとも１つの電線付端子の前記接続部を含む領域が前記弾性体により覆われることを特徴とする請求項１に記載のコネクタ。
【請求項３】
前記ムービングプレートの他側には、前記弾性体が、前記ハウジングに収容される電線付端子の数と同数形成されており、
前記ハウジングに収容される各電線付端子の前記接続部を含む領域が前記弾性体により覆われることを特徴とする請求項２に記載のコネクタ。
【発明の詳細な説明】
【技術分野】
【０００１】
本発明は、コネクタに関する。
【背景技術】
【０００２】
従来、コネクタとして、電線と当該電線の導体部に接続された端子部とを有する電線付端子を備えるものが知られている。この種の電線付端子としては、特許文献１に開示されたものが提案されている。この特許文献１では、電線の導体部と端子部との接続部に封止樹脂を塗布して硬化させることで、導体部と端子部との接続部に防水・防食処理を施している。
【先行技術文献】
【特許文献】
【０００３】
【特許文献１】特開２０１６−２２５１７１号公報
【発明の概要】
【発明が解決しようとする課題】
【０００４】
しかしながら、前記従来の技術では、防水・防食処理を施すために、電線の導体部と端子部との接続部に封止樹脂を塗布する必要があるため、防水・防食処理に手間がかかってしまう。
【０００５】
そこで、本発明は、前記した課題を解決すべくなされたものであり、より容易に電線付端子の防水・防食性を向上させることができるコネクタを提供することを目的とする。
【課題を解決するための手段】
【０００６】
本発明のコネクタは、相手側嵌合体が嵌合可能な空間部が形成されたハウジングと、電線と前記電線の導体部に接続された端子部とを有し、前記空間部に収容される電線付端子と、前記空間部内に初期位置と完了位置との間でスライド可能に配置され、前記相手側嵌合体により押圧される被押圧体と、を備え、前記端子部は、前記相手側嵌合体の第２接点部に係止される第１接点部と、前記電線の導体部に接続される接続部と、を備えており、前記被押圧体は、一側が前記相手側嵌合体により押圧されるムービングプレートと、前記ムービングプレートの他側に設けられる弾性体と、を備えており、前記ムービングプレートには、前記第１接点部の先端が他側から挿入される挿入孔が形成されており、前記弾性体には、少なくとも前記第１接点部が前記挿入孔に挿入された状態において、前記挿入孔に連通する貫通孔が形成されており、前記弾性体は、前記貫通孔が拡大するように弾性変形し得る構成をしており、前記被押圧体を前記初期位置から前記完了位置までスライドさせた際に、前記弾性体が前記電線付端子の前記接続部を含む領域を覆うようにしている。
【発明の効果】
【０００７】
本発明によれば、相手側嵌合体をハウジングに嵌合させて、第１接点部を第２接点部に嵌合させることで、弾性体が電線付端子の接続部を含む領域を覆うようにしたため、より容易にコネクタの防水・防食性を向上させることができる。
【図面の簡単な説明】
【０００８】
【図１】本発明の第１実施形態を示す図であって、互いに嵌合させる前におけるオスコネクタ部とメスコネクタ部の断面図である。
【図２】本発明の第１実施形態を示す図であって、互いに嵌合させた状態におけるオスコネクタ部とメスコネクタ部の断面図である。
【図３】本発明の第１実施形態を示す図であって、被押圧体の斜視図である。
【図４】本発明の第１実施形態を示す図であって、被押圧体が配置されたオスコネクタハウジングの斜視図である。
【図５】本発明の第２実施形態を示す図であって、互いに嵌合させた状態におけるオスコネクタ部とメスコネクタ部の断面図である。
【図６】本発明の第２実施形態を示す図であって、被押圧体の斜視図である。
【図７】本発明の第２実施形態を示す図であって、被押圧体が配置されたオスコネクタハウジングの斜視図である。
【発明を実施するための形態】
【０００９】
以下、本発明の実施の形態について、図面を用いて詳細に説明する。
【００１０】
なお、以下では、コネクタとして、メスコネクタ部３０が嵌合するオスコネクタ部２０を例示する。
【００１１】
また、以下の複数の実施形態には、同様の構成要素が含まれている。よって、以下では、それら同様の構成要素には共通の符号を付与するとともに、重複する説明を省略する。
【００１２】
（第１実施形態）
本実施形態では、オスコネクタ部２０とメスコネクタ部（相手側嵌合体）３０とで構成されるコネクタ１０について説明する。
【００１３】
オスコネクタ部２０は、図１、図２および図４に示すように、第１コネクタハウジングであるオスコネクタハウジング２１０を備えている。
【００１４】
このオスコネクタハウジング２１０は、図４に示すように、略直方体状をしており、例えば、合成樹脂を用いて形成することができる。また、オスコネクタハウジング２１０は、天壁２１１と、底壁２１２と、天壁２１１および底壁２１２の幅方向両端にそれぞれ連設される一対の側壁２１３，２１３と、を備えている。
【００１５】
そして、このオスコネクタハウジング２１０内には、両端が開口する空間部２１５が形成されている。
【００１６】
この空間部２１５は、オスコネクタハウジング２１０の隔壁２１４によって仕切られた複数（本実施形態では３つ）の端子収容空間２１６を備えている。さらに、空間部２１５は、端子収容空間２１６に連通し、相手側嵌合体であるメスコネクタ部３０のメスコネクタハウジング３１０が挿入される相手側嵌合体挿入空間２１７を備えている。
【００１７】
そして、空間部２１５の端子収容空間２１６側には、３つの電線引出口２１５ｂが形成されており、電線付オス端子２２０のオス端子部（端子部）２４０が電線引出口２１５ｂから端子収容空間２１６内に挿入されるようになっている。このとき、１つの端子収容空間２１６には１つの電線付オス端子２２０のオス端子部２４０が収容されるようになっている。
【００１８】
また、本実施形態では、底壁２１２における端子収容空間２１６を画成する部位には、天壁２１１に向けて突出する係止突部（係止部）２１８がそれぞれ設けられている。この係止突部２１８は弾性変形可能に形成されている。本実施形態では、係止突部２１８は、電線引出口２１５ｂ側から奥側（相手側嵌合体挿入空間２１７側）に向かうにつれて上方（天壁２１１側）に位置するように傾斜した傾斜面２１８ａを備えている。さらに、係止突部２１８は、傾斜面２１８ａよりも奥側に位置し、上方に向けて略垂直に延設された垂直面２１８ｂと、傾斜面２１８ａの上端と垂直面２１８ｂの上端とを連接する段差面２１８ｃと、を備えている。そして、端子収容空間２１６内に収容された電線付オス端子２２０のオス端子部２４０が段差面２１８ｃに係止されることで、電線付オス端子２２０が抜ける方向に移動してしまうのを規制している。なお、端子収容空間２１６内に収容された電線付オス端子２２０の規制（位置決め）方法は、これに限られるものではなく、従来公知の様々な方法を用いることができる。
【００１９】
また、空間部２１５の相手側嵌合体挿入空間２１７側には、メスコネクタハウジング３１０が挿入される相手側嵌合体挿入口２１５ａが形成されている。
【００２０】
電線付オス端子２２０は、略円柱状の電線２３０と、この電線２３０の導体部２３１に電気的に接続されるオス端子部２４０とを備えている。
【００２１】
電線２３０は、導体部２３１と、導体部２３１の外周を覆う絶縁性の被覆部２３２と、を備えており、導体部２３１の被覆部２３２に覆われていない部位（露出部位）にオス端子部２４０が接続されている。なお、導体部２３１は、例えば、アルミニウムまたはアルミニウムを基材とした合金等で形成することができる。
【００２２】
オス端子部２４０は、相手側嵌合体の第２接点部（後述する箱部３４１）に接触するタブ部（第１接点部）２４１と、電線２３０の導体部２３１に圧着されて、導体部２３１に電気的に接続される導体圧着部（接続部）２４２と、を備えている。さらに、オス端子部２４０は、電線２３０の被覆部２３２に圧着されて電線２３０を保持する電線保持部２４３を備えている。
【００２３】
なお、導体部２３１とオス端子部２４０は、同種の金属（例えば、双方共にアルミニウム、銅、銅合金等）あるいは異種の金属（例えば、アルミニウム、銅、銅合金等の組み合わせ）で構成することができる。
【００２４】
ここで、導体部２３１とオス端子部２４０とが異種金属で構成される場合、接続部分（導体圧着部２４２）に水や薬品が付着すると、導体部２３１やオス端子部２４０にガルバニック腐食（電解腐食）が発生し、電線付オス端子２２０を劣化させてしまう。
【００２５】
そのため、導体部２３１とオス端子部２４０とが異種金属で構成される場合には、導体圧着部２４２に防水・防食処理を施すのが好ましい。本実施形態では、後述する被押圧体４０用いることで、導体圧着部２４２の防水・防食性を高めている。
【００２６】
一方、メスコネクタ部３０は、図１および図２に示すように、第２コネクタハウジングであるメスコネクタハウジング３１０を備えている。
【００２７】
このメスコネクタハウジング３１０は、図１および図２に示すように、略直方体状をしており、例えば、合成樹脂を用いて形成することができる。また、メスコネクタハウジング３１０は、天壁３１１と、底壁３１２と、天壁３１１および底壁３１２の幅方向両端にそれぞれ連設される一対の側壁３１３，３１３と、を備えている。
【００２８】
そして、このメスコネクタハウジング３１０内には、隔壁３１４によって仕切られ、両端が開口する複数（本実施形態では３つ）の端子収容空間３１５が形成されている。
【００２９】
そして、各端子収容空間３１５におけるオスコネクタ部２０と対向する側には、タブ部２４１が挿入される端子挿入口３１５ａがそれぞれ形成されている。また、各端子収容空間３１５における端子挿入口３１５ａとは反対側には、電線引出口３１５ｂが形成されており、電線付メス端子３２０のメス端子部（相手側端子部）３４０が電線引出口３１５ｂから端子収容空間３１５内に挿入されるようになっている。このとき、１つの端子収容空間３１５には１つの電線付メス端子３２０のメス端子部３４０が収容されるようになっている。
【００３０】
なお、図示省略したが、メスコネクタ部３０においても、従来公知の方法により、端子収容空間３１５内に収容された電線付メス端子３２０の規制（位置決め）が行われている。
【００３１】
電線付メス端子３２０は、略円柱状の電線３３０と、この電線３３０の導体部３３１に電気的に接続されるメス端子部３４０とを備えている。
【００３２】
電線３３０は、導体部３３１と、導体部３３１の外周を覆う絶縁性の被覆部３３２と、を備えており、導体部３３１の被覆部３３２に覆われていない部位（露出部位）にメス端子部３４０が接続されている。なお、導体部３３１は、例えば、アルミニウムまたはアルミニウムを基材とした合金等で形成することができる。
【００３３】
メス端子部３４０は、オスコネクタ部２０のタブ部（第１接点部）２４１が係止される箱部（第２接点部）３４１と、電線３３０の導体部３３１に圧着されて、導体部３３１に電気的に接続される導体圧着部（接続部）３４２と、を備えている。さらに、メス端子部３４０は、電線３３０の被覆部３３２に圧着されて電線３３０を保持する電線保持部３４３を備えている。
【００３４】
なお、タブ部（第１接点部）２４１と箱部（第２接点部）３４１との係止は、例えば、箱部３４１に設けた弾性撓み部と箱部３４１の底壁とでタブ部２４１を挟持する等、従来公知の方法で行うことができる。
【００３５】
また、導体部３３１とメス端子部３４０は、同種の金属（例えば、双方共にアルミニウム、銅、銅合金等）あるいは異種の金属（例えば、アルミニウム、銅、銅合金等の組み合わせ）で構成することができる。
【００３６】
ここで、導体部３３１とメス端子部３４０とが異種金属で構成される場合には、導体圧着部３４２に封止樹脂を塗布する等により、防水・防食処理を施すのが好ましい。
【００３７】
また、本実施形態では、オスコネクタハウジング２１０の空間部２１５内に、メスコネクタ部（相手側嵌合体）３０により押圧される被押圧体４０が配置されている。この被押圧体４０は、初期位置と完了位置との間でスライドできるように空間部２１５内に配置されている。なお、本実施形態では、図１に示す状態（タブ部２４１の先端が被押圧体４０のムービングプレート４１０に形成された挿入孔４１１に挿入された状態）を初期位置としている。この初期位置は、適宜設定することができる。また、図２に示す状態（被押圧体４０のムービングプレート４１０が相手側嵌合体挿入空間２１７の最奥部まで移動した状態）を完了位置としている。この完了位置も、適宜設定することができる。
【００３８】
被押圧体４０は、一側（相手側嵌合体挿入口２１５ａ側）がメスコネクタ部（相手側嵌合体）３０により押圧されるムービングプレート４１０を備えている。
【００３９】
ムービングプレート４１０は、例えば、空間部２１５が形成されたオスコネクタハウジング２１０と同様の樹脂で形成することができ、周縁部４１２が相手側嵌合体挿入空間２１７の内面に摺接するようになっている。このムービングプレート４１０は、メスコネクタ部（相手側嵌合体）３０により押圧された際に、電線引出口２１５ｂ側にスムーズに移動（スライド）できるように、剛性を有しているのが好ましい。
【００４０】
そして、ムービングプレート４１０には、相手側嵌合体挿入空間２１７内に配置した状態で、各端子収容空間２１６内にそれぞれ挿入されたオス端子部２４０のタブ部２４１と対向する部位に、挿入孔４１１が形成されている。この挿入孔４１１は、タブ部２４１の輪郭形状とほぼ同じ形状をしており、タブ部２４１の先端が他側（電線引出口２１５ｂ側）から挿入孔４１１に挿入されている。
【００４１】
また、本実施形態では、被押圧体４０は、ムービングプレート４１０の他側（電線引出口２１５ｂ側）に設けられる弾性体４２０を備えている。この弾性体４２０は、例えば、シリコンゴムを用いて形成することができ、ムービングプレート４１０に一体に形成されている。また、本実施形態では、ムービングプレート４１０に３つの弾性体４２０を設け、それぞれの弾性体４２０が対応する端子収容空間２１６内に挿入されるようにしている。
【００４２】
また、各弾性体４２０には、ムービングプレート４１０の挿入孔４１１に連通し、タブ部２４１が挿入される貫通孔４２１が形成されている。この貫通孔４２１は、図３に示すように予め形成されていてもよい。また、被押圧体４０を初期位置に配置する際にタブ部２４１によって貫通孔４２１が形成されるようにしてもよい。すなわち、弾性体４２０には、少なくともタブ部（第１接点部）２４１が挿入孔４１１に挿入された状態において、挿入孔４１１に連通する貫通孔４２１が形成されていればよい。
【００４３】
さらに、本実施形態では、弾性体４２０は、貫通孔４２１が拡大するように弾性変形し得る構成をしている。すなわち、被押圧体４０を初期位置から完了位置までスライドさせた際に、タブ部２４１よりも大径の部位がある場合、貫通孔４２１が大径の部位の輪郭形状に合うように弾性変形して、貫通孔４２１の径を拡大させることができるようになっている。なお、本実施形態のように、電線付オス端子２２０の径が段差状に変化する場合、貫通孔４２１の先端側に、先端に向かうにつれて拡径するテーパ部を設けるようにしてもよい。こうすれば、よりスムーズに貫通孔４２１を大径の部位の輪郭形状に合うように弾性変形させることができる。また、電線付オス端子２２０側に、弾性体４０の移動時における貫通孔４２１の拡径を補助する補助部材（例えば、貫通孔４２１を徐々に拡径させるようにするテーパ状の部材）を設けるようにしてもよい。
【００４４】
そして、被押圧体４０を初期位置から完了位置までスライドさせた際に、弾性体４０が電線付オス端子２２０の導体圧着部（接続部）２４２を含む領域を覆うようにしている（図２参照）。なお、図示省略したが、被押圧体４０が電線２３０の導体部２３１の露出部分、導体圧着部（接続部）２４２および電線保持部２４３の全体を覆うようにするのがより好ましい。
【００４５】
以上説明したように、本実施形態にかかるオスコネクタ部（コネクタ）２０は、メスコネクタ部（相手側嵌合体）３０が嵌合可能な空間部２１５が形成されたオスコネクタハウジング（ハウジング）２１０を備えている。また、オスコネクタ部２０は、電線２３０と電線２３０の導体部２３１に接続されたオス端子部（端子部）２４０とを有し、空間部２１５に収容される電線付オス端子（電線付端子）２２０を備えている。さらに、オスコネクタ部２０は、空間部２１５内に初期位置と完了位置との間でスライド可能に配置され、メスコネクタ部３０により押圧される被押圧体４０を備えている。
【００４６】
また、オス端子部（端子部）２４０は、メスコネクタ部３０の箱部（第２接点部）３４１に係止されるタブ部（第１接点部）２４１と、電線２３０の導体部２３１に接続される導体圧着部（接続部）２４２と、を備えている。
【００４７】
また、被押圧体４０は、一側がメスコネクタ部３０により押圧されるムービングプレート４１０と、ムービングプレート４１０の他側に設けられる弾性体４２０と、を備えている。
【００４８】
また、ムービングプレート４１０には、タブ部２４１の先端が他側から挿入される挿入孔４１１が形成されており、弾性体４２０には、少なくともタブ部２４１が挿入孔４１１に挿入された状態において、挿入孔４１１に連通する貫通孔４２１が形成されている。
【００４９】
また、弾性体４２０は、貫通孔４２１が拡大するように弾性変形し得る構成をしている。
【００５０】
そして、被押圧体４０を初期位置から完了位置までスライドさせた際に、弾性体４０が電線付オス端子２２０の導体圧着部（接続部）２４２を含む領域を覆うようにした。
【００５１】
このように、メスコネクタ部３０をオスコネクタハウジング２１０に嵌合させ、タブ部２４１を箱部３４１に嵌合させることで、弾性体４２０が電線付オス端子２２０の導体圧着部（接続部）２４２を含む領域を覆うようにした。そのため、より容易にオスコネクタ部２０の防水・防食性を向上させることができる。
【００５２】
また、タブ部２４１を箱部３４１に嵌合させることで、弾性体４２０が電線付オス端子２２０の導体圧着部（接続部）２４２を含む領域を覆うようにした。こうすることで、電線付オス端子２２０の導体圧着部（接続部）２４２に防水・防食処理を施すことを忘れてしまうのを抑制することができる。
【００５３】
また、オスコネクタハウジング２１０には、複数の電線付オス端子２２０が収容されており、ムービングプレート４１０の他側には弾性体４２０が少なくとも１つ形成されるようにしてもよい。
【００５４】
そして、少なくとも１つの電線付オス端子２２０の導体圧着部（接続部）２４２を含む領域が弾性体４２０により覆われるようにしてもよい。
【００５５】
こうすれば、防水・防食処理が必要な電線付オス端子２２０の導体圧着部（接続部）２４２を選択的に弾性体４２０で覆うことができるため、導体圧着部（接続部）２４２の防水・防食処理が必要な電線付オス端子２２０の防水・防食性を向上させることができる。
【００５６】
また、ムービングプレート４１０の他側に、弾性体４２０を、オスコネクタハウジング２１０に収容される電線付オス端子２２０の数と同数形成してもよい。
【００５７】
そして、オスコネクタハウジング２１０に収容される各電線付オス端子２２０の導体圧着部（接続部）２４２を含む領域が弾性体４２０により覆われるようにしてもよい。
【００５８】
こうすれば、メスコネクタ部３０をオスコネクタハウジング２１０に嵌合させ、タブ部２４１を箱部３４１に嵌合させるだけで、複数の電線付オス端子２２０の導体圧着部（接続部）２４２が弾性体４２０で覆われるため、製造効率をより向上させることができる。
【００５９】
（第２実施形態）
本実施形態では、オスコネクタ部２０Ａとメスコネクタ部（相手側嵌合体）３０Ａとで構成されるコネクタ１０Ａについて説明する。
【００６０】
オスコネクタ部２０Ａは、図５、図７に示すように、第１コネクタハウジングであるオスコネクタハウジング２１０を備えている。
【００６１】
このオスコネクタハウジング２１０は、図７に示すように、略直方体状をしており、例えば、合成樹脂を用いて形成することができる。また、オスコネクタハウジング２１０は、天壁２１１と、底壁２１２と、天壁２１１および底壁２１２の幅方向両端にそれぞれ連設される一対の側壁２１３，２１３と、を備えている。
【００６２】
そして、このオスコネクタハウジング２１０内には、両端が開口する空間部２１５が形成されている。
【００６３】
この空間部２１５は、オスコネクタハウジング２１０の隔壁２１４および隔壁２１９によって仕切られた複数（本実施形態では６つ）の端子収容空間２１６を備えている。さらに、空間部２１５は、端子収容空間２１６に連通し、相手側嵌合体であるメスコネクタ部３０のメスコネクタハウジング３１０が挿入される相手側嵌合体挿入空間２１７を備えている。
【００６４】
また、本実施形態では、隔壁２１９における端子収容空間２１６を画成する部位の両面に、天壁２１１または底壁２１２に向けて突出する係止突部（係止部）２１８がそれぞれ設けられている。
【００６５】
一方、メスコネクタ部３０Ａは、図５に示すように、第２コネクタハウジングであるメスコネクタハウジング３１０を備えている。
【００６６】
このメスコネクタハウジング３１０は、天壁３１１と、底壁３１２と、天壁３１１および底壁３１２の幅方向両端にそれぞれ連設される一対の側壁３１３，３１３と、を備えている。
【００６７】
そして、このメスコネクタハウジング３１０内には、隔壁３１４および隔壁４１６によって仕切られ、両端が開口する複数（本実施形態では６つ）の端子収容空間３１５が形成されている。
【００６８】
また、本実施形態では、オスコネクタハウジング２１０の空間部２１５内に、メスコネクタ部（相手側嵌合体）３０Ａにより押圧される被押圧体４０Ａが配置されている。この被押圧体４０Ａも、初期位置と完了位置との間でスライドできるように空間部２１５内に配置されている。
【００６９】
被押圧体４０は、一側（相手側嵌合体挿入口２１５ａ側）がメスコネクタ部（相手側嵌合体）３０Ａにより押圧されるムービングプレート４１０を備えている。
【００７０】
そして、ムービングプレート４１０には、相手側嵌合体挿入空間２１７内に配置した状態で、各端子収容空間２１６内にそれぞれ挿入されたオス端子部２４０のタブ部２４１と対向する部位に、挿入孔４１１が形成されている。
【００７１】
また、本実施形態では、被押圧体４０Ａは、ムービングプレート４１０の他側（電線引出口２１５ｂ側）に設けられる弾性体４２０を備えている。本実施形態では、ムービングプレート４１０に６つの弾性体４２０を設け、それぞれの弾性体４２０が対応する端子収容空間２１６内に挿入されるようにしている。
【００７２】
以上の本実施形態によっても、上記第１実施形態と同様の作用、効果を奏することができる。
【００７３】
以上、本発明の好適な実施形態について説明したが、本発明は上記実施形態には限定されず、種々の変形が可能である。
【００７４】
例えば、上記各実施形態では、相手側嵌合体として、電線付メス端子３２０が収容されるメスコネクタ部３０，３０Ａを例示したが、電気機器等の回路基板に接続される嵌合体を相手側嵌合体としてもよい。
【００７５】
また、上記各実施形態では、３つまたは６つの電線付オス端子２２０が収容されるオスコネクタハウジング２１０を例示したが、オスコネクタハウジングは、１つの電線付オス端子２２０が収容されるものであってもよい。また、２つ以上の任意の数の電線付オス端子２２０が収容されるものであってもよい。
【００７６】
また、様々な種類の電線を用いることができる。
【００７７】
また、相手側嵌合体や被押圧体、その他細部のスペック（形状、大きさ、レイアウト等）も適宜に変更可能である。
【符号の説明】
【００７８】
２０，２０Ａ  オスコネクタ部（コネクタ）
２１０  オスコネクタハウジング（ハウジング）
２１５  空間部
２２０  電線付オス端子（電線付端子）
２３０  電線
２３１  導体部
２３２  被覆部
２４０  オス端子部（端子部）
２４１  タブ部（第１接点部）
２４２  導体圧着部（接続部）
３０，３０Ａ  メスコネクタ部（相手側嵌合体）
３４１  箱部（第２接点部）
４０，４０Ａ  被押圧体
４１０  ムービングプレート
４１１  貫通孔
４２０  弾性体
４２１  貫通孔
【図１】
2019145246.tif 000003
【図２】
2019145246.tif 000004
【図３】
2019145246.tif 000005
【図４】
2019145246.tif 000006
【図５】
2019145246.tif 000007
【図６】
2019145246.tif 000008
【図７】
2019145246.tif 000009